(57)【特許請求の範囲】
【請求項１】
鉛直軸線まわりに回転し中央部に原料の落下口が形成された環状の炉床と該炉床の上方位置に固定して配された炉蓋とを有し、該炉蓋の周囲には上記落下口より大径の外径をもち該炉蓋に連続して設けられた内筒部と該内筒部に上部で接続される外筒部が設けられ、該外筒部が内筒部よりも下方に長く延びて形成され、上記炉蓋には直下に形成される燃焼室に外部から燃料を供給する燃料供給口が設けられ、上記炉床と外筒部の下端との間には外部に対し気密なシール装置が設けられて炉床の炉蓋に対する相対回転を許容しており、上部で接続された内筒部及び外筒部と上記炉床により囲まれて形成された環状の予熱空間には外部から原料を該予熱空間に落下供給する原料供給管が設けられ、該予熱空間は上記燃焼室に連通するように半径方向内方に開放され、上記炉床の中央部に形成された上記落下口の縁部からは縦筒状の炉本体が下方に延びて設けられ、上記予熱空間内の原料が燃焼室に面する側から落下するようになっており、上記落下口から落下して該炉本体内で焼成された原料を製品として取り出すための取出口が炉本体の下部に形成されている竪型焼成炉において、炉蓋の外部上方位置に焼成されるべき原料の貯留装置が設けられ、該貯留装置は上記原料供給管により予熱空間へ原料を落下供給可能に接続されており、上記貯留装置と原料供給管の間には外部から空気が流入するのを阻止した状態で上記原料の落下供給を行う気密供給機構が設けられており、予熱空間の上部と燃焼室とが燃焼ガス導管により接続されていて予熱空間内の原料を貫流して上方に向け排気される燃焼ガスの一部が燃焼室に帰還可能な帰還路を形成し、予熱空間の上部空間が、内筒部と外筒部の間で予熱空間の中間位置まで下方に垂下する筒状の仕切壁により内側空間と外側空間に区分されており、内側空間及び外側空間の一方に原料供給管が接続され、他方に燃焼ガス導管が接続されていることを特徴とする竪型焼成炉。
【請求項２】
鉛直軸線まわりに回転し中央部に原料の落下口が形成された環状の炉床と該炉床の上方位置に固定して配された炉蓋とを有し、該炉蓋の周囲には上記落下口より大径の外径をもち該炉蓋に連続して設けられた内筒部と該内筒部に上部で接続される外筒部が設けられ、該外筒部が内筒部よりも下方に長く延びて形成され、上記炉蓋には直下に形成される燃焼室に外部から燃料を供給する燃料供給口が設けられ、上記炉床と外筒部の下端との間には外部に対し気密なシール装置が設けられて炉床の炉蓋に対する相対回転を許容しており、上部で接続された内筒部及び外筒部と上記炉床により囲まれて形成された環状の予熱空間には外部から原料を該予熱空間に落下供給する原料供給管が設けられ、該予熱空間は上記燃焼室に連通するように半径方向内方に開放され、上記炉床の中央部に形成された上記落下口の縁部からは縦筒状の炉本体が下方に延びて設けられ、上記予熱空間内の原料が燃焼室に面する側から落下するようになっており、上記落下口から落下して該炉本体内で焼成された原料を製品として取り出すための取出口が炉本体の下部に形成されている竪型焼成炉において、炉蓋の外部上方位置に焼成されるべき原料の貯留装置が設けられ、該貯留装置は上記原料供給管により予熱空間へ原料を落下供給可能に接続されており、上記貯留装置と原料供給管の間には外部から空気が流入するのを阻止した状態で上記原料の落下供給を行う気密供給機構が設けられており、貯留装置には気密供給機構の下方に配され該貯留装置内の空気を外部に向けて吸引するための吸引装置を備えていることを特徴とする竪型焼成炉。
【請求項３】
貯留装置は上部貯留装置と下部貯留装置とを備え、気密供給機構は該上部貯留装置と下部貯留装置の間に設けられていることとする請求項１又は請求項２に記載の竪型焼成炉。
【請求項４】
炉本体内には、縦方向に延び上方に向けて拡径して貫通する送気孔が形成され炉本体により支持されている筒状のデイフューザと、該デイフューザの送気孔の下端開口に噴出口が臨み上記送気孔に対し外部から受けた燃焼用の空気を上方に噴出するエジェクタと、上記外部からの燃焼用空気を送入する送気管に対して気密状態で回転可能な回転継手とを備え、上記デイフューザの筒状の壁体内には周方向に連通する環状空間が形成され、上記回転継手はその内部空間が上記デイフューザの環状空間の一部と第一管路により接続され、該環状空間の他部とエジェクタの下部とが第二管路により接続されており、デイフューザの送気孔は上方に向け拡がる内径を有し、該送気孔に耐熱金属板から成る保護管が接面して配設されていることとする請求項１または請求項２に記載の竪型焼成炉。
【発明の詳細な説明】
【０００１】
【産業上の利用分野】
本発明は石灰石、ドロマイト、マグネサイトのような鉱物あるいは各種の無機物質を混合・成形して作ったペレットなどの粉粒あるいは粉塊の原料（以下、「原料」という）を高温下で焼成して製品を得る技術分野において利用され、特にそのための竪型焼成炉に関する。
【０００２】
【従来の技術】
この種の竪型焼成炉としては特許第１２００７４２号（特公昭５８−３２３０７）において開示されているものが知られている。この公知の焼成炉は、鉛直軸線を中心として回転する環板状の回転炉床を炉蓋の下方に設け、外部から焼成されるべき原料を供給するための原料供給管を通して該回転炉床上の予熱空間に落下供給して原料の一次堆積層を形成する。該一次堆積層は原料供給管側の上部自由表面と燃焼室に面する下部自由表面とを安息角をもって形成する。上記炉蓋の直下で回転炉床の中央空間部に形成される燃焼室に対面する上記一次堆積層の下部自由表面に対する燃焼室の高温の炎・燃焼ガスから放射伝熱および上記一次堆積層を上方に貫流し上部自由表面へ流出する燃焼ガスからの対流伝熱によって上記原料を加熱して５０〜６０％程度の焼成（半焼成）を達成し、炉の周囲に配置した複数のプッシャーの作用で上記回転炉床の中央部に形成された落下口から上記半焼成の原料を落下させて、上記炉床に連続して下方に延びるように設けられた筒状の炉本体の下部空間に上記半焼成原料の二次堆積層を形成させここで完全なる焼成を行っている。上記炉本体内には、中央部にデイフューザ及びエジェクタが配置されている。デイフューザは縦筒状をなし上方に向けテーパ状に拡径された内径の貫通した送気孔が形成されており、該デイフューザの下部開口に、外部からの燃焼用の空気を噴出するエジェクタが臨んでいる。上記炉床から炉本体に落下した半焼成の原料の上記二次堆積層は上記デイフューザの外周に形成され該デイフューザの上端近傍にまで達している。上記二次堆積層は、デイフューザの上端外周にて燃焼室に面する上部自由表面とデイフューザの下端の内側でエジェクタの周囲に下部自由表面とを安息角をもって形成する。かかるデイフューザ及びエジェクタによると、空気がエジェクタからデイフューザの送気口に向け噴出されると、デイフューザの周囲に形成された上記二次堆積層のエジェクタの周囲部分に形成された下部自由表面の領域が低圧となるため、デイフューザの上端外周に形成された二次堆積層の上部自由表面から該二次堆積層内に燃焼室内の燃焼ガスの一部が吸引され下部自由表面に向かって貫流する。したがって、この二次堆積層は上記貫流する燃焼ガスにより完全に焼成されて製品となる。製品は炉本体の底部の取出口から落下して取り出されるが、その際取出口から炉本体内に流入する空気及びエジェクタを介して、該エジェクタ内を流れる空気により冷却される。
【０００３】
【発明が解決しようとする課題】
しかしながら、上述の従来の焼成炉にあっては、炉床上の一次堆積層の表面へ向けて供給管を通じて原料を落下供給する際に原料と共に多くの空気が外部から炉内へ流入し、その結果、該外部から流入した空気が、燃焼室から上記炉床上の一次堆積層へ貫入し該一次堆積層の上部自由表面から流出後に外部に取り出される燃焼ガスと混合されてしまう。焼成時に発生するこの燃焼ガスたる二酸化炭素ガスを高濃度のまま取り出すことが要求される場合、上記の空気混合は該二酸化炭素ガスの濃度を低下させるので具合が悪い。
【０００４】
また、上記の取り出される二酸化炭素ガスの濃度が低くともよい場合には、燃焼室の温度を低目に制御するために、大きい値の過剰空気を用いて燃焼を行うことがある。
【０００５】
このように大きな値の過剰空気を用いて燃料を燃焼すると、上記焼成炉の炉床上の一次堆積層を貫通して上方に排出される燃焼ガスの温度が高くなり、その結果として、排出される燃焼ガスが外部にもち出す熱エネルギー量は大きくなってしまい、原料焼成のための燃料熱原単位（単位量の原料を焼成するのに必要な熱量）の値が増加するという不具合が生ずる。
【０００６】
また、上記公知の焼成炉においては燃料供給管から気体または流体状の燃料を燃焼室に供給して燃焼するが、粗粒を含む石油コークス、粉炭、プラスチック破砕片、草木質破砕片などの粉粒片状可燃物を使用することはできない。特に管理型廃棄物として処理費の大きな上記破砕片を燃料として使用することができれば、環境保全と同時に燃料コストを大幅に低下させることがきることになるが、その利点を活用できない。
【０００７】
さらに、上記の公知の焼成炉にあっては、二次堆積層における半焼成原料の焼成をより効果的に行うためにデイフューザとエジェクタを用いているが、外部からの燃焼用空気をエジェクタから噴出すると、既述のごとくエジェクタの周囲の該二次堆積層の下部自由表面の領域における圧力が低下するので、製品の取出口から炉本体内に流入する空気が上記下部自由表面に向けて貫流し、燃焼室に面する二次堆積層の上部自由表面からの燃焼ガスの流入が少なくなり、焼成の効果が然程期待できない。
【０００８】
本発明はかかる問題を解決し、原料供給管を通じて外部から空気が流入することを防止し、又、燃焼に充分な過剰空気を用いなくても燃焼室内の温度制御さらには取り出す二酸化炭素の濃度の制御を行うことのできる竪型焼成炉を提供することを第一の目的とする。
【０００９】
また、気密供給機構に多少の空気漏洩が生じても、これを改善することを第二の目的としている。さらには、排気させる燃焼ガスの熱を利用して燃焼室における熱効率を向上し、また炉本体で焼成される二次堆積層内での燃焼ガスの循環をより積極的に行って焼成を高め、結果的に熱効率を向上せしめることを第三の目的としている。
【００１０】
【課題を解決するための手段】
本発明によれば、上記第一の目的は、鉛直軸線まわりに回転し中央部に原料の落下口が形成された環状の炉床と該炉床の上方位置に固定して配された炉蓋とを有し、該炉蓋の周囲には上記落下口より大径の外径をもち該炉蓋に連続して設けられた内筒部と該内筒部に上部で接続される外筒部が設けられ、該外筒部が内筒部よりも下方に長く延びて形成され、上記炉蓋には直下に形成される燃焼室に外部から燃料を供給する燃料供給口が設けられ、上記炉床と外筒部の下端との間には外部に対し気密なシール装置が設けられて炉床の炉蓋に対する相対回転を許容しており、上部で接続された内筒部及び外筒部と上記炉床により囲まれて形成された環状の予熱空間には外部から原料を該予熱空間に落下供給する原料供給管が設けられ、該予熱空間は上記燃焼室に連通するように半径方向内方に開放され、上記炉床の中央部に形成された上記落下口の縁部からは縦筒状の炉本体が下方に延びて設けられ、上記予熱空間内の原料が燃焼室に面する側から落下するようになっており、上記落下口から落下して該炉本体内で焼成された原料を製品として取り出すための取出口が炉本体の下部に形成されている竪型焼成炉において、炉蓋の外部上方位置に焼成されるべき原料の貯留装置が設けられ、該貯留装置は上記原料供給管により予熱空間へ原料を落下供給可能に接続されており、上記貯留装置と原料供給管の間には外部から空気が流入するのを阻止した状態で上記原料の落下供給を行う気密供給機構が設けられており、予熱空間の上部と燃焼室とが燃焼ガス導管により接続されていて予熱空間内の原料を貫流して上方に向け排気される燃焼ガスの一部が燃焼室に帰還可能な帰還路を形成し、予熱空間の上部空間が、内筒部と外筒部の間で予熱空間の中間位置まで下方に垂下する筒状の仕切壁により内側空間と外側空間に区分されており、内側空間及び外側空間の一方に原料供給管が接続され、他方に燃焼ガス導管が接続されていることにより達成される。この場合、気密供給機構は、貯留装置を上部貯留装置と下部貯留装置とに区分し、ロータリバルブを両者の間に設けることができる。
【００１４】
また、第二の目的は、貯留装置に、気密供給機構の下方に配され該貯留装置内の空気を外部に向けて吸引するための吸引装置を備えていることにより達成され、原料の供給時に気密供給機構で多少の空気が漏洩流入しても、この流入した空気を外部へ吸引して改善できる。
さらに、第三の目的は、燃焼室に燃焼のための空気を外部から受ける燃焼用空気供給管が接続され、該燃焼用空気供給管は、該燃焼用空気供給管内の空気が燃焼ガス導管内の燃焼ガスと熱交換を行う熱交換器を介して燃焼室に接続されていることとしたり、あるいは、炉本体内に、縦方向に延び上方に向けて拡径して貫通する送気孔が形成され炉本体により支持されている筒状のデイフューザと、該デイフューザの送気孔の下端開口に噴出口が臨み上記送気孔に対し外部から受けた燃焼用の空気を上方に噴出するエジェクタと、上記外部からの燃焼用空気を送入する送気管に対して気密状態で回転可能な回転継手とを備え、上記デイフューザの筒状の壁体内には周方向に連通する環状空間が形成され、上記回転継手はその内部空間が上記デイフューザの環状空間の一部と第一管路により接続され、該環状空間の他部とエジェクタの下部とが第二管路により接続されており、デイフューザの送気孔は上方に向け拡がる内径を有し、該送気孔に耐熱金属板から成る保護管が接面して配設されていることにより達成される。
【００１５】
【作用】
かかる本発明にあっては、原料が貯留装置から原料供給管を通して予熱空間に供給される際に、原料は気密供給機構を経て落下するため、外部からの空気の流入が防止される。
【００１６】
予熱空間に投入され炉床に落下した原料は該予熱空間にて一次堆積層を形成し、燃焼室内の炎及び燃焼ガスからの放射伝熱、及び該一次堆積層を下部自由表面から流入し上方に流れ上部自由表面へ貫通する燃焼ガスの対流伝熱により半焼成状態となる。
【００１７】
半焼成の原料は、プッシャー等の作用により炉床の落下口より炉本体内に落下して炉本体内で二次堆積層を形成し、ここで完全に焼成され、下方より供給される燃焼用空気と熱交換して冷却されて、製品として下部の取出口から取り出される。
【００１８】
燃料として固形可燃物をも利用したいときには、固形可燃物を固形燃料供給口から投入する。
【００１９】
燃焼室内の温度制御あるいは取り出される二酸化炭素の濃度の制御を行うときには、予熱空間から排気されるべき燃焼ガスの一部が燃焼室に帰還される。
【００２０】
外部から受ける燃焼用の空気の温度を燃焼ガスの熱を利用して高めるには、該空気は熱交換器にて燃焼ガスとの間で熱交換を行って加熱される。
【００２１】
炉本体内にデイフューザとエジェクタを有しているときには、回転継手へ供給される外部からの空気がデイフューザ内の環状空間で加熱された後、エジェクタから燃焼室へ向け噴出される。
【００２２】
狭落下路を形成する取出筒体を有しているときには、炉本体内の二次堆積層では、取出口より原料の粒塊間の空間を経て流入しようとする空気に対して大きな抵抗を示すので、燃焼室からの燃焼ガスは上記二次堆積層の上部自由表面から層内への貫入が効果的になされる。
【００２３】
気密供給機構の下に回転シュートが備えられているときには、原料は周方向に均一に堆積され、原料は均一な焼成がなされる。
【００２４】
【実施例】
以下、添付図面にもとづき本発明の実施例を説明する。
【００２５】
図１において、符号１は耐熱材から成る炉蓋であり、該炉蓋１の外周には内筒部２が連続して設けられ、該内筒部２の外側に外筒部３が設けられている。内筒部２と外筒部３は上部にて接続部４により接続されており、外筒部３は内筒部２よりも下方に延びている。
【００２６】
上記炉蓋１の中央部には、外部から気体あるいは液体の燃料を送るバーナ５が設けられ、該バーナ５の周囲には、後述する燃焼用空気供給管６と燃焼ガス帰還路としての燃焼ガス供給管７が設けられている。
【００２７】
上記炉蓋１の下方には耐熱材から成る環板状の炉床８が回転自在に設けられている。該炉床８は図示しない外部の駆動装置により回転される。該炉床８の外周縁と上記外筒部３の下端との間には、両者の間を気密とするシール装置９、例えば公知の水シールが設けられており、該シール装置９により、外部に対して気密を維持しつつ炉床８の回転が許容される。該炉床８の中央部には落下口８Ａが形成されており、該落下口８Ａの周縁から下方に縦筒状の炉本体１０が連続して設けられている。本実施例の場合、該炉本体１０は下部に向け末つぼまり状となっている。上記炉本体１０内の上部位置には該炉本体１０に設けられた支持部１１によりデイフューザ１２が設けられている。該デイフューザ１２は縦筒状で上方に向け内径が拡がる貫通した送気孔１３が形成されている。上記デイフューザ１２の下部開口にエジェクタ１４が臨むように配設されている。該エジェクタ１４は、炉本体１０の支持部１５により支えられている熱交換器１６に接続されている。上記エジェクタ１４の下部は炉外にあって、外部からの空気を送り込む送気管１７との相対回転を許容する回転継手１８により該送気管１７と連通している。上記炉本体１０の底部には上記エジェクタ１４の下部が貫通する底板１９が設けられており、該底板１９と上記炉本体１０の下端縁との間に取出口２０が形成されている。
【００２８】
上記炉蓋１の直下には燃焼室２１が形成され、これを取り囲むようにして内筒部２、外筒部３、接続部４そして炉床８によって環状の予熱空間２２が形成され、該予熱空間２２はその半径内方にて上記燃焼室２１に向け開放されている。該予熱空間２２には外方からロッド状のプッシャー２２Ａが外筒部３を貫通して設けられ、炉の半径方向（ロッドの長手方向）に適宜往復動するようになっている。
【００２９】
上記炉蓋１の上方位置には、焼成されるべき原料、例えば、石灰石、ドロマイト、マグネサイトのような鉱物あるいは各種の無機物質を混合・成形して作ったペレット等を予め貯留しておく貯留装置２３が配設されている。本実施例の場合には、貯留装置２３は、上部貯留装置２３Ａと下部貯留装置２３Ｂとを有しており、両者は気密供給機構たるロータリバルブ２４を介して接続されている。下部貯留装置２３Ｂの上部には該下部貯留装置２３Ｂ内の空気の圧力を上記の予熱空間２２の上部の空間の圧力とほぼ等しくするためのブロワー等の吸引装置２５が接続されている。上記ロータリバルブ２４は、本実施例の場合、四つの室に区分されていて、該ロータリーバルブ２４が回転することにより上方に位置する室で上部貯留装置２３Ａから原料Ｓを受け、該ロータリバルブ２４の回転に伴い上記室が下方に位置したときに該原料Ｓを下部貯留装置２３Ｂに落下せしめるようになっており、このように下部貯留装置２３Ｂは外気から遮断されている。
【００３０】
上記予熱空間２２の上壁を形成する接続部４には、上記下部貯留装置２３Ｂから原料を上記予熱空間２２内へ落下供給する複数の原料供給管２６と、予熱空間２２の上部から燃焼ガスを導き出す燃焼ガス導管２７とが接続されている。
【００３１】
上記炉蓋１に接続された燃焼用空気供給管６は熱交換器２８を経て、ブロワー２９により外部から空気を受けて燃焼室２１へ供給するようになっている。又、該燃焼用空気供給管６には、粉粒片状の可燃物をも適宜空気と共に燃焼室２１へ供給可能とする固形燃料供給口３０が設けられている。燃焼ガス導管２７は上記熱交換器２８そして集塵器３１を経てブロワー３２に接続されており、予熱空間２２から排出される燃焼ガスは、ブロワー２９で吸引された燃焼用空気を熱交換器２８にて昇温せしめて燃焼ガス自体が降温した後に、上記集塵器３１にて燃焼粉塵が上記集塵器３１で分離された後に外部に排気されるようになっている。
【００３２】
上記燃焼ガス導管２７は熱交換器２８と集塵器３１との間で分管されていて、降温した燃焼ガスの一部がブロワー３３により抜き取られるようになっている。該ブロワー３３より下流位置では、さらに分管されていて一方の枝管３４は弁３５を経て燃焼用空気供給管６に合流し、他方の枝管３６は弁３７を経て燃焼ガス供給管７として炉蓋１に接続されている。
【００３３】
かかる構成の本実施例装置では、原料は次の要領で焼成される。
【００３４】
（１）ロータリバルブ２４にて外部からの空気の流入が阻止されながら、原料は上部貯留装置２３Ａから落下し下部貯留装置２３Ｂに貯留される。
【００３５】
（２）ロータリバルブ２４の回転羽根と固定ケースのすき間から、下部貯留装置２３Ｂに若干空気が漏洩流入することがあるが、そのときはブロワー等の吸引装置２５により上記下部貯留装置２３Ｂ内の空気が予熱空間２２の上部空間内の圧力とほぼ等しくなるように吸引が行われる。その際、予熱空間２２から燃焼ガスの一部が上記下部貯留装置２３Ｂに流入してくる場合には、該燃焼ガスは上記下部貯留装置２３Ｂ内の空気と共に外部へ吸引される。
【００３６】
（３）下部貯留装置２３Ｂ内の原料は原料供給管２６を経て落下して予熱空間２２の底面を形成する炉床８上に原料の一次堆積層を形成する。この一次堆積層は安息角をもって原料供給管２６側に上部自由表面３８を、そして燃焼室２１側に下部自由表面３９を形成する。
【００３７】
（４）バーナ５から噴出される燃料は、燃焼用空気供給管６を通じてバーナ５の尖端付近に送り出される空気流によって燃焼室２１内で燃焼し、炎・燃焼ガスからの放射伝熱によって上記一次堆積層の下部自由表面３９を加熱する。燃焼ガスは燃焼室２１から一次堆積層の下部自由表面３９をよぎって該一次堆積層の内部を貫流し、対流伝熱によって該一次堆積層内の原料を加熱する。かくして、下部自由表面３９付近の原料は半焼成を受ける。
【００３８】
（５）外筒部３の周囲には該外筒部３に案内されて炉の半径方向に往復動可能な複数個のプッシャー２２Ａが設置されており、その作用によって上記一次堆積層の半焼成原料を下部自由表面３９の下部付近より落下口８Ａに向け押し出して落下させる。炉床８は鉛直中心軸のまわりに回転し、これに伴い該炉床８上の一次堆積層も回転するが、プッシャー２２Ａは空間に固定された外筒部３に支持されて周方向には移動せず半径方向にのみ往復動するので、プッシャー２２Ａは相対的に周方向に移動する原料の一次堆積層を周方向で均等に押し出すことができる。
【００３９】
回転せる炉床８上の一次堆積層で加熱され焼成をうけた半焼成の原料は、プッシャー２２Ａの作用により下部自由表面３９側から炉床の中央部の落下口８Ａより落下し、炉本体１０内で二次堆積層を形成する。炉本体１０の中心部にはデイフューザ１２が設置されているので、上記炉本体１０内の二次堆積層はデイフューザ１２のまわりに環状をなして形成され、デイフューザ１２の上端近傍の外周に上部自由表面４０を、デイフューザ１２の下端側でエジェクタの周囲に下部自由表面４１を形成する。炉本体１０は回転せる炉床８と一体に接続されているので、炉床８と共に回転する。
【００４０】
（６）外部にて加圧された空気は、回転継手１８を通って熱交換器１６に達し、ここで周囲の炉本体１０内の二次堆積層からの熱により加熱され、エジェクタ１４からデイフューザ１２に向け上方に噴出される。上記エジェクタ１４からの空気の高速噴出により、エジェクタ１４の周囲に形成された下部自由表面４１の領域の圧力が低下するので、燃焼室２１内の高温の燃焼ガスの一部は、上記二次堆積層の上部自由表面４０から下部自由表面４１の方向に向け該二次堆積層の内部を盛んに貫流し、半焼成の原料のその後の焼成を効果的に完成する。なお、上記熱交換器１６の形式、寸法、数は任意である。また、熱交換器を使用しなくても差し支えない。
【００４１】
（７）炉本体１０内の二次堆積層の焼成完了した原料は取出口２０から製品として排出されるが、その際取出口２０から原料の粒子間を通って炉本体１０へ流入する空気と上記熱交換器１６により冷却されて低温になり、固定された底板１９と炉本体１０の間の相対回転の作用により上記取出口２０から外方に排出される。この場合の排出機構は必ずしも図１のものに限定されず、任意である。
【００４２】
（８）本実施例では、予熱空間２２内に形成された原料の一次堆積層を上方に貫流して原料を加熱することにより温度の低下した燃焼ガスは、燃焼ガス導管２７を通って熱交換器２８に送入される。一方、空気ブロワー２９により外部から取り入れられた燃焼用空気は上記熱交換器２８に送入され上記燃焼ガスとの間で熱交換を行って予熱された後、燃焼用空気供給管６を経て、バーナ５の尖端付近に噴出されて燃料を燃焼する。
【００４３】
（９）熱交換器２８を出て温度の低下した燃焼ガスは集塵器３１にて粉塵が除去されて清浄化された状態でブロワー３２を経て大気に放出される。上記燃焼ガスの一部はブロワー３３の作用により、燃焼室２１内に帰還送入される。その際、燃焼ガスの送入方法は図１のものに限定されず、その位置・形式・寸法・数は任意である。燃焼ガスは上記のごとく燃焼用空気と別々に送入することに限定されず、弁３７を閉め、弁３５を開くことにより、燃焼用空気供給管６内の空気と混合して燃焼室２１に送入してもよい。このようにして、燃焼ガスの一部を燃焼室２１に帰還せしめることにより、外部に取り出す二酸化炭素の濃度を制御できる。すなわち、燃焼室２１内での二酸化炭素・濃度を所定値に制御し、原料の焼成を改善できる。
【００４４】
（１０）粗粒を含む石油コークス、粉炭、プラスチック破砕片、草木質破砕片などの粉粒片状の固体の可燃物をも燃料として使用したいときには、炉蓋１に設けられた固体燃料供給口４２、燃焼用空気供給管６に設けられた固体燃料供給口３０そしてブロワー３３の下流位置に設けられた固体燃料供給口４３のいずれかあるいは全部から上記粉粒片状の固体可燃物を送入する。固体燃料供給口の位置、寸法、数は任意である。
【００４５】
図１の装置において上部貯留装置２３Ａと下部貯留装置２３Ｂとの間に配される気密供給機構は必ずしも図示のロータリバルブに限らず、図２に示される三段ダンパー５０であってもよい。図２は三段ダンパーの原理を示すものであり、上部貯留装置２３Ａと下部貯留装置２３Ｂとを結ぶ通路に三枚のゲート板５１，５２，５３を備えており、図示の状態からゲート板５２を閉じ、ゲート板５３を開けば、図２においてゲート板５３により塞ぎ止められていた一定量の原料が気密を保持したまま下部貯留装置２３Ｂに落下することとなる。このような原理の供給方法であれば、その形式、寸法、数に関しては任意である。
【００４６】
また、取出口２０からの焼成完了の製品の取出は図１の形式に限定されない。例えば、図３のごとく、取出口２０に非回転の排出ロッド５４を設けて、炉本体１０と底板１９との相対回転により上記取出口２０から落下する製品の落下を促進させることができる。その場合、取出シュート５５と炉本体１０との間に水シール等のシール装置５６を設ければ該シール装置５６での空気の漏洩がなくなるので、取出口２０からの空気の圧入を効果的に行うことができる。
【００４７】
＜第二実施例＞
図４において炉床上に原料の一次堆積層を形成する内筒部２と外筒部３の間に、中間まで下方に延びる筒状の仕切壁６１を設置することにより予熱空間の上部を内側空間６２と外側空間６３に区分して、上記一次堆積層の上部を上記内側空間６２と外側空間６３に存在する二つの部分に環状に分割し、原料供給管２６の下端に近い部分から排出される燃焼ガスを燃焼ガス導管６４を経て炉外に排出する。残りの燃焼ガスは高温のまま、内側空間６２に接続されている燃焼ガス導管６５に集められ、循環ブロワー６６の作用により燃焼室２１に帰還送入される。その際、固体燃料供給口３０，４２，４３については第一実施例の場合と同様である。
【００４８】
図４において燃焼ガス導管６５に集められた高温の燃焼ガスは必ずしもそのままブロワー６６に吸引されることに限定されず、図５のように熱交換器６７を通って該燃焼ガス自体の温度を低下させたのちに、循環ブロワー６８の作用によって燃焼空室２１に送入することもできる。こうすることにより、循環ブロワー２９により送り込まれる燃焼用空気供給管６内の空気は予熱昇温されて高熱効率のもとで燃料を燃焼する。また弁３７を閉じ、弁３５を開いて燃焼ガスの一部を燃焼空気に混合して燃焼室２１に送入することができる。
【００４９】
図５における弁６９は燃焼ガスを二つの燃焼ガス導管に分配するための調節用である。すなわち、該弁６９を閉じる方向に調節すると、燃焼導管６４へ流れる量が減少して熱交換器６７に向かう燃焼導管６５へ流れる量が増大する。
【００５０】
炉床上の原料の一次堆積層の上部領域を環状に二つの部分に分割する仕切壁６１の設置方法は必ずしも図４、図５のものに限定されず、図６のように内筒部２に寄った位置に原料供給管２６が設置されるものであっても差し支えない。
【００５１】
＜第三実施例＞
原料の貯留装置は図１に示されたものに限定されることはない。例えば、図７に示すごとく、図１の場合と同様に、上部貯留装置２３Ａと下部貯留装置２３Ｂとの間に、ロータリバルブ２４を設けると共に、下部貯留装置２３Ｂの上部にブロワー等の吸引装置２５を設け、さらに本実施例では、これらに加え、上記ロータリバルブ２４の直下に回転シュート７１が設けられている。該回転シュート７１は受部７２とシュート７３そしてモータ７４とを有しており、ロータリバルブ２４から落下する原料を受部７２で受けこの原料をシュート７３の下端口から落下させる。モータ７４は中央の支柱７５に取りつけられており、上記受部７２と該受部７２に接続されているシュート７３を回転させる。回転するシュート７３から落下する原料は下部貯留装置２３Ｂ内において周方向に均一に堆積する。原料は、上部貯留装置２３Ａ内にて種々の粒径が偏在していることがあり、かかる本実施例によれば、下部貯留装置２３Ｂ内で周方向に均一に堆積されるので、原料供給管７６を経て炉床８に落下する原料も予熱空間２２内に周方向に均一な一次堆積層を形成し、その結果半焼成も均一となる。
【００５２】
＜第四実施例＞
次に、デイフューザとエジェクタ及びその周辺についても、図１に示されたものに限定されず図８に示される本実施例のごとくに変形が可能である。
【００５３】
本実施例において、炉本体１０の直下に取出筒体８１が設けられている。該取出筒体８は、焼成後に冷却された製品を取り出すためのものであり、特に耐熱材で作られている必要はない。該取出筒体８１は図９にその断面がみられるように、周方向の四箇所に狭落下路８２が設けられている。該狭路下路８２は図にも見られるように、それらの下部が半径内方に開放されて取出口８３に連通している。上記取出筒体８１は非回転であり、炉本体１０との間で水シール等のシール装置８４により、炉本体１０との相対回転を許容している。
【００５４】
上記取出筒体８１の上方位置には回転継手８５が炉本体１０の支持部８６により支持されている。該回転継手８５は閉じられた円筒体状をなし、ブロワー８７により外部からの空気を送り込む送気管８８がシール状態で回転継手８５の回転を許容するようにして該回転継手８５の内部に進入している。
【００５５】
デイフューザ８９は図１のものとほぼ同じ外形をなしているが、下部には内部に環状空間９０が形成されており、該環状空間９０の一部と上記回転継手８５の側部とが第一管路９１により接続されて連通している。上記回転継手８５にはエジェクタ９２が上方に向け垂立して取りつけられている。該エジェクタ９２には上記環状空間９０の他部と第二管路９３により接続され連通している。
【００５６】
上記デイフューザ８９にはテーパ状に上方に向け拡がる送気孔９３が形成されているが、この送気孔９３には、このテーパにほぼ合致した耐熱金属板から成る錐形状の保護管９４が上方から抜出自在に嵌入されている。
【００５７】
又、上記取出筒体８１の中央空間には、モータ９５が設けられ、弯曲しながら半径外方に延びる翼体９６を回転している。該翼体９６は該取出筒体８１の底面に近接して回転する。
【００５８】
かかる本実施例にあっては、ブロワー８７により取り入れられた空気は、第一管路９１、環状空間９０、第二管路９３を経る間に周囲の焼成された原料との熱交換により加熱されて昇温し、高温状態でエジェクタ９２から噴出され、熱の有効利用が図れる。又、この熱交換は原料が十分に焼成される領域より下方の位置で行われるので、取り出される製品の冷却を促進せしめるという効果もある。
【００５９】
又、取出筒体８１では製品の取出が狭落下路８２を経るために、燃焼室内の燃焼ガスが二次堆積層の上部自由表面９７から該二次堆積層内に流入する際の内部抵抗に比べ、狭落下路８２での内部抵抗の方が大きくなる。したがって、上記上部自由表面９７から二次堆積層内に流入した燃焼ガスは、エジェクタ９２の噴出口近傍の下部自由９８に向け貫流する循環流を積極的に形成し、二次堆積層上部での焼成をより高めると共に取出口８３からの空気の流入が極力小さく抑えられる。
【００６０】
さらに、保護管９４には粉塵が付着してもデイフューザ８９との熱膨張率の差から簡単に付着物は剥離落下し、また、付着物が多少残存しても該保護管９４を上方に取り出して清掃できる。かくしてデイフューザ８９の送気孔の形状及び表面が正常の状態に保て、デイフューザの機能を維持できる。
【００６１】
上記のデイフューザとエジェクタの下方位置に狭落下路を持つ取出筒体を備えた本実施例装置に、第一実施例装置の気密供給機構をも備えた焼成炉とするならば、原料の供給側そして製品取出側の両方からの外部の空気の漏洩流入を図ることができ、排気される二酸化炭素の濃度を高めることができると共にデイフューザにおける熱効率を上げることができる。
【００６２】
【発明の効果】
以上のように本発明は外部からの空気の漏洩流入を防ぐことができ、また燃焼室の温度調節のために多量の過剰空気を送入する必要がなくなるから、焼成炉から排出される燃焼ガスの温度を低下させ、したがって燃料熱原単位を下げるとともに燃焼ガス中の二酸化炭素の濃度を増加することができる。また、保護管の使用によりデイフューザの機能を正常に維持することができる。
【図面の簡単な説明】
【図１】本発明の第一実施例装置の縦断面図である。
【図２】図１装置に適用可能な気密供給機構の変形例を示す縦断面図である。
【図３】図１装置に適用可能な炉本体の取出口近傍の変形例を示す縦断面図である。
【図４】本発明の第二実施例装置の縦断面図である。
【図５】図４装置の燃焼ガス配管に関する変形を示す縦断面図である。
【図６】図４装置の燃焼ガス配管に関する他の変形を示す縦断面図である。
【図７】本発明の第三実施例装置の縦断面図である。
【図８】本発明の第四実施例装置の縦断面図である。
【図９】図８におけるＩＸ−ＩＸ断面図である。
【符号の説明】
１    炉蓋
２    内筒部
３    外筒部
６    燃焼用空気供給管
７    燃焼ガス供給管
８    炉床
８Ａ    落下口
９    シール装置
２０    取出口
２１    燃焼室
２２    予熱空間
２３    貯留装置
２３Ａ    上部貯留装置
２３Ｂ    下部貯留装置
２４    気密供給機構（ロータリバルブ）
２５    吸引装置
２６    原料供給管
２７    燃焼ガス導管
２８    熱交換器
３０    固形燃料供給口
４２    固形燃料供給口
４３    固形燃料供給口
６１    仕切壁
６２    内側空間
６３    外側空間
６４    燃焼ガス導管
７１    回転シュート
８１    取出筒体
８２    狭落下路
８３    取出口
８５    回転継手
８８    送気管
８９    デイフューザ
９０    環状空間
９１    第一管路
９２    エジェクタ
９３    第二管路
９４    保護管
【図１】
0003623016.tif 000002
【図２】
0003623016.tif 000003
【図３】
0003623016.tif 000004
【図４】
0003623016.tif 000005
【図５】
0003623016.tif 000006
【図６】
0003623016.tif 000007
【図７】
0003623016.tif 000008
【図８】
0003623016.tif 000009
【図９】
0003623016.tif 000010